(57)【特許請求の範囲】
【請求項１】
コイン通路の一側部の通路壁近傍に、発振回路の一部を構成する素子であって発振周波数を決定する励磁コイルと受信コイルを電磁的に結合するように配設し、コインが電磁界を通過することでコインの表面に生じる渦電流による磁界の変化を前記受信コイルで検出できるような周波数で前記励磁コイルを励磁して、前記励磁コイルから検出される振幅又は周波数のいずれか１つ又はその組み合わせと、前記受信コイルで検出される起電力信号によってコインの真贋性を検査することを特徴とするコイン検査方法。
【請求項２】
コイン通路の一側近傍に配設された発振回路の一部を構成する素子であって発振周波数を決定する励磁コイルと、前記励磁コイルと電磁的に結合するように前記コイン通路の前記一側近傍に配設された受信コイルと、コインが電磁界を通過することでコインの表面に生じる渦電流による磁界の変化を前記受信コイルで検出できるような所定の周波数で前記励磁コイルを発振させ電磁場を発生させる発振手段と、前記励磁コイルの発振電圧の振幅又は周波数のいずれか又はその組み合わせを検出する第１の手段と、前記受信コイルで検出される起電力信号を検出する第２の手段と、前記第１、第２の手段での検出出力に基づいてコインを判別する手段とを備えたことを特徴とするコイン検査装置。
【請求項３】
所定の角度で傾斜させたコイン通路に２つの磁極が向かうようにしてコイン通路の一側部の通路壁近傍に配置された励磁コイルと、該励磁コイルと電磁的に結合するようにして前記通路壁の近傍に配置した特性が略等しい２つの受信コイルと、前記励磁コイルと前記受信コイルとにより電磁場を構成し、前記励磁コイルを発振素子として構成し、コインが電磁界を通過することでコインの表面に生じる渦電流による磁界の変化を前記受信コイルで検出できるような所定の周波数で発振させる発振回路手段と、前記発振回路手段に接続された第１の検波回路手段と、前記受信コイルを含むようにして構成したブリッジ回路手段と、前記ブリッジ回路手段に接続された差動増幅手段と、前記差動増幅手段に接続された第２の検波回路手段と、前記第１及び第２の検波回路手段のそれぞれの出力に接続され、前記電磁場内に被検コインが作用したとき得られる信号と、前記信号に基づき該被検コインが所定の特徴を備えているか否かを検査し検査の結果を出力する検査手段とを備えたことを特徴とするコイン検査装置。
【発明の詳細な説明】
【０００１】
【発明の属する技術分野】
本発明はコインの真贋性を検査する方法及び装置に関し、特に自動販売機、ゲーム機器等に使用されるコイン検査装置及びその方法に関するものである。
【０００２】
【従来の技術】
近年コインの検査装置は、誘導コイルを用いた電子式が主流である。
この種のコイン検査装置は、一般的にコインの自由落下を利用するもので、コイン投入口から投入されたコインを案内する通路が設けられている。また、前記通路には複数組みの誘導コイルが配置されており、この各組みの誘導コイルにはそれぞれ異なる周波数により励磁される電磁場が設けられている。
【０００３】
コインの検査は、周知の原理によるもので、前記電磁場の中をコインが通過するとき、この電磁場とコインとの相互作用により得られる電気的変化量（周波数変化、電圧変化、位相変化）を検出してコインの真贋性を検査している。
従来技術におけるコイン検査装置は、コインの特徴は周波数に依存したパラメータが多いことから、米国特許第 3,870,137号が示すように、複数の周波数を使うことでコインの材質、外径、厚さなどを検査する技術として利用されてきた。
【０００４】
【発明が解決しようとする課題】
近年ボーダーレス化により諸外国のコインが容易に持ち込まれ、それらのコインが誤って或いは不正を試みる者による詐欺行為などのケースが増えている。それら諸外国のコインの中には材質、外径、厚さなどが近似するものがある。例えば、米国の５ CENT 貨とパナマ国の５CENTESIMOS貨などはそれを代表する一例である。前記のような代表コインはコイン表面のデザイン（凹凸模様）が異なるのみで材質、外径、厚さが殆ど一致している。従来技術のような誘導コイルの構成ではそのようなコインの表面の凹凸模様による厚みの変化を、複数の周波数を用いるのみでは検出できず、その結果、コインが判別できなかった。
【０００５】
また従来技術では、前記のようなコインを判別する手段として画像処理などの光学的な方法が試みられてきた。しかし、光学的な装置は埃などがコインに付着してコインの真偽判定を損ねる問題があり、装置が大きくなるばかりか複雑となりその結果高価となる問題があった。
本発明は上記課題に鑑みなされたもので、本発明の目的は、簡単なコイル構成で、異なる複数のパラメータを検出し、材料及びコイン表面の模様の異なるコインを精度良く検査し、しかも安価なコイン検査装置及びその方法を提供することにある。
【０００６】
【課題を解決するための手段】
請求項１に係わる発明は方法の発明であって、コイン通路の一側部の通路壁近傍に、発振回路の一部を構成する素子であって発振周波数を決定する励磁コイルと受信コイルを電磁的に結合するように配設し、コインが電磁界を通過することでコインの表面に生じる渦電流による磁界の変化を前記受信コイルで検出できるような周波数で前記励磁コイルを励磁する。そして、前記励磁コイルから検出される振幅又は周波数のいずれか１つ又はその組み合わせと、前記受信コイルで検出される起電力信号を検出し、コインがこの電磁界を通過する際の検出信号に基づいて、真贋性を検査する。これによって、コインの材質によるコイン真偽判別と、コイン表面の凹凸模様等による厚み変化によるコインの真偽判別を行いコインを判別する。
【０００７】
また、請求項２に係わる発明は、コイン検査装置に係わるもので、コイン通路の一側近傍に配設された発振回路の一部を構成する素子であって発振周波数を決定する励磁コイルと、前記励磁コイルと電磁的に結合するように前記コイン通路の前記一側近傍に配設された受信コイルと、コインが電磁界を通過することでコインの表面に生じる渦電流による磁界の変化を前記受信コイルで検出できるような所定の周波数で前記励磁コイルを発振させ電磁場を発生させる発振手段と、前記励磁コイルの発振電圧の振幅又は周波数のいずれかを検出する第１の手段と、前記受信コイルで検出される起電力信号を検出する第２の手段と、前記第１、第２の手段での検出出力に基づいてコインを判別する手段とを設けることによって、該コイン検査装置に投入されたコインをその材質と表面凹凸模様によって、その真偽を判別する。
【０００８】
さらには、請求項３に係わる発明のように、所定の角度で傾斜させたコイン通路に２つの磁極が向かうようにしてコイン通路の一側部の通路壁近傍に配置された励磁コイルと、該励磁コイルと電磁的に結合するようにして前記通路壁の近傍に配置した特性が略等しい２つの受信コイルと、前記励磁コイルと前記受信コイルとにより電磁場を構成し、前記励磁コイルを発振素子として構成し、コインが電磁界を通過することでコインの表面に生じる渦電流による磁界の変化を前記受信コイルで検出できるような所定の周波数で発振させる発振回路手段と、前記発振回路手段に接続された第１の検波回路手段と、前記受信コイルを含むようにして構成したブリッジ回路手段と、前記ブリッジ回路手段に接続された差動増幅手段と、前記差動増幅手段に接続された第２の検波回路手段と、前記第１及び第２の検波回路手段のそれぞれの出力に接続され、前記電磁場内に被検コインが作用したとき得られる信号と、前記信号に基づき該被検コインが所定の特徴を備えているか否かを検査し検査の結果を出力する検査手段とを設けることによって、投入されたコインをその材質と表面凹凸模様によって、その真偽を判別する。
【０００９】
【発明の実施の形態】
以下、図面により本発明の一実施形態を説明する。
図１および図２は本発明の一実施形態である。図１はコインの材質及びコイン表面の凹凸模様を検出する検知コイルの構成を示す図で、（ａ）は正面図、（ｂ）は断面図である。図２は同実施形態における回路の概略構成を示すブロック図である。
【００１０】
図１において、検知コイルは１つの励磁コイル1 と２つの受信コイル２ａおよび２ｂで構成され、コイン通路６の一側部の通路壁７ａ側に共に配置されている。コイン通路６は、コイン３をガイドして落下させる所定角度で傾斜し、底部に配置されたコインレール４と、一対の通路壁７ａ，７ｂで構成され、通路壁７ａ，７ｂは図１（ｂ）に示すように、コイン３が一方の通路壁７ａ側に傾いて落下するように、コイン落下方向に垂直でかつ鉛直方向に対して傾いて配設されている。また、コインを載せガイドするコインレール４の表面も通過するコイン３が通路壁７ａ側に傾くように、通路壁７ａ，７ｂの傾斜方向に傾く構成となっている。
【００１１】
前記２つの受信コイルは図５（ｂ）に示すようにドラム型のコアーを有するもので、コインレール４の上方で、且つ２つの受信コイル２ａ，２ｂのセンターを結ぶ線５ａがコインレール４と略平行になるようにして所定の間隔で配置されている。
一方、励磁コイル１は、図５（ａ）に示すようにコの字型のコアーを有するもので、受信コイル２の上方で、且つ前記所定の間隔で配置された受信コイル２ａと２ｂ間の中間点とコの字型のコアーの長手方向の中心点とを結ぶ線５ｃがコインレール４と直交するようにして、さらに、コアーの磁極面がコイン３の面と平行になるようにして、かつコアーの磁極面のセンターを結ぶ線５ｂがコインレール４と略平行になるように配置されている。
【００１２】
前記のように配置した励磁コイル１と受信コイル２ａおよび２ｂは電磁的に結合するようにして電磁場を構成している。
図２において、符号１１は発振回路手段で、該発振回路手段１１は、励磁コイル１及びキャパシタＣ１、キャパシタＣ２により構成された共振回路と、該共振回路に接続された帰還回路手段１２によって構成されている。発振回路手段１１は、共振回路の共振周波数に基づく発振周波数で発振し、励磁コイル１の両端に発振電圧を発生させ励磁コイル１を励磁駆動する。これにより励磁コイル１は周辺に電磁界を生じせしめる。発振回路手段１１は励磁コイル１の両端に発生する発振電圧を第１の検波回路手段１３ａに出力する。第１の検波回路手段１３ａは発振回路手段１１から発振電圧を入力して発振電圧に対応する直流電圧信号を検査手段１６へ出力する。励磁コイル１の近傍にコイン３が位置するとコイン内部に渦電流が発生し、この渦電流により起こる反磁界作用により励磁コイル１の内部の磁束が妨げられ励磁コイル１の両端の前記発振電圧の振幅、周波数、位相が変化する。この変化はコインの材質によって異なる。これによりコイン３が励磁コイル１の近傍を移動して作用すると発振電圧はコイン３の主に材質的特徴を現す信号となるので、この信号を検査することによって被検コインの材質的特徴を検査することができる。
【００１３】
一方、前記のように構成される２つの受信コイル２ａおよび２ｂには、励磁コイル１の発する電磁界の強さに応じた起電力を生ずる。なお前述したように励磁コイル１と受信コイル２ａおよび２ｂはコイン３の表面が接近するようにして配置し検査する事が望ましい。
前記の如く構成した電磁場内にコイン３が作用するとき励磁コイル１により励磁されるコイン３の表面付近に渦電流が発生しその渦電流は作用周波数が高くなるのに伴って表皮効果によりコイン外周部付近で顕著な反磁界を発生する。前記現象によりコイン外周部の表面付近で発生した反磁界電流は、コイン表面の僅かな形状的特徴変化を伴って受信コイル２ａおよび２ｂに相互作用する。受信コイル２ａおよび２ｂには前記コイン３の形状的特徴変化がもたらす反磁界電流の変化に応じた起電力（以下、この起電力を「検知信号」と称す）を生ずる。
さらに励磁コイル１の磁極が受信コイル２ａおよび２ｂの近傍に配置していることで、該磁極から発生する電磁界がコイン３に作用してもたらされる反磁界電流の変化を極近傍で捕らえることができる。
【００１４】
前記表皮効果による反磁界電流はコイン外周部付近で顕著に現れるが、コイン表面の凹凸が顕著である場合は、特にコイン外周部付近に限定することなくその変化を検出することができる。この受信コイル２ａおよび２ｂの検知信号は、前記受信コイル２ａおよび２ｂを含むようにして構成したブリッジ回路手段１４により、前記検知信号に応じた交流電圧信号を生成し差動増幅手段１５へ出力する。差動増幅手段１５は前記ブリッジ回路手段１４で生成された交流電圧信号を増幅して第２の検波回路手段１３ｂへ出力する。第２の検波回路手段１３ｂは前記差動増幅手段１５で増幅された交流電圧信号を入力して、前記検知信号に対応する直流電圧信号を検査手段１６へ出力する。検査手段１６はその内部に有するＡＤ変換手段１７へ前記直流電圧信号を入力し対応する電圧のデジタル信号に変換し、同検査手段１６の内部に有する信号検査手段１８へ出力する。信号検査手段１８はコイン３が所定の特徴を備えているか否かを検査して検査の結果を出力端子１９へ出力する。前記信号検査手段１９の出力は後述する振り分けソレノイドや図示しないコインカウンター等を駆動するために使用される。
【００１５】
図３は、図２のブロック回路を具体的に示した詳細図である。図４はコイン検査装置を示す正面図である。図５はコイルの構成を詳述する図で（ａ）は正面図、（ｂ）は断面図である。
図３で、図２のブロック図を対応させ回路構成を詳述すると、発振回路手段１１は、励磁コイル１及びキャパシタＣ１、キャパシタＣ２により構成された共振回路と、比較器Ｃ０１、帰還抵抗Ｒ３及び抵抗Ｒ４により構成される帰還回路手段１２によって構成されている。
【００１６】
又、第１の検波回路手段１３ａは、発振回路手段１１の出力に接続されたカップリング用キャパシタＣ７に接続されたダイオードＤ１及びダイオードＤ２による整流回路（倍電圧整流回路）と、抵抗Ｒ９とキャパシタＣ９とによる積分回路とにより構成されている。
一方、ブリッジ回路手段１４は、受信コイル２ａ（インダクタンスＬ２）と並列接続するようにしたキャパシタＣ３と、受信コイル２ｂ（インダクタンスＬ３）と並列接続するようにしたキャパシタＣ４と、抵抗Ｒ１およびＲ２とにより構成されている。
【００１７】
差動増幅手段１５は、前記ブリッジ回路手段１４の出力に交流的にカップリングするようにして接続されたキャパシタＣ５およびＣ６と、演算増幅器Ａ１と、演算増幅器Ａ１の利得を決定するようにして接続された抵抗Ｒ５、Ｒ７およびＲ６、Ｒ８とにより構成している。
第２の検波回路手段１３ｂは、前記差動増幅手段１５の出力に接続されているカップリング用キャパシタＣ８に接続されたダイオードＤ３とダイオードＤ４からなる整流回路（倍電圧整流回路）と、抵抗Ｒ１０とキャパシタＣ１０とによる積分回路とにより、この第２の検波回路手段１３ｂを構成している。
【００１８】
検査手段１６のＡＤ変換手段１７および信号検査手段１８は、ＭＰＵ２０( マイクロプロセッサ・ユニット) を用いて構成している。
前記発振回路手段１１は、所定の周波数により励磁コイル１を励磁駆動するが、その周波数は、電磁界がコインに浸透しない周波数が望ましく、７０Ｋ（Ｈｚ）〜９０Ｋ（Ｈｚ）の周波数が望まし。この発明による実験ではその周波数を９０Ｋ（Ｈｚ）にして行った。
【００１９】
発振回路手段１１の励磁コイル１の近傍にコイン３が位置すると、コイン３の内部に渦電流が発生し、その渦電流により起こる反磁界作用により励磁コイル１内部の磁束が妨げられて励磁コイルの両端の発振電圧の振幅、周波数、位相が変化する。本実施形態では振幅の変化を検出する。すなわち、発振電圧のレベルを検出するようにしている。発振回路手段１１は励磁コイル１の両端に発生する発振電圧を第１の検波回路手段１３ａに出力する。第１の検波回路手段１３ａは発振回路手段１１から発振電圧を入力してこの発振電圧に対応する直流電圧信号を検査手段１６に出力する。
【００２０】
図６（ａ）は、発振回路手段１１から出力される発振電圧５０の状態を示す例である。コイン３が励磁コイル１の近傍にないときには、発振回路手段１１から出力される発振電圧５０の振幅は一定である。しかし、励磁コイル１の近傍をコイン３が通過すると、コイン３が励磁コイル１内部の磁束を妨げる区間中は発振電圧は、符号５１で示すようにその振幅が小さくなる。この小さくなった振幅の大きさはコイン３の材質によって異なり、この最小の振幅レベルによって、コイン３の材質を判別することができる。
【００２１】
この発振回路手段１１から出力される発振電圧は、第１の検波回路手段１３ａに入力されて整流され、図６（ｂ）に示すような直流電圧５２に変換され、検査手段１６のＡＤ変換手段１７に入力される。ＡＤ変換手段１７はこの入力された直流電圧をサンプリングし、その結果をメモリ手段２１に記憶する。そして、後述するように、この記憶したサンプリングデータからコイン３の真偽判別等を行う。この実施形態では、記憶したサンプリング値の最小レベルが設定基準範囲内か判断し、コイン３の真偽判別を行う。
【００２２】
前記構成のブリッジ回路手段１４は、交流ブリッジ回路を構成するもので、受信コイル２ａと並列に接続されたキャパシタＣ３とによりなるインピーダンスをＺ１、受信コイル２ｂと並列に接続されたキャパシタＣ４とによりなるインピーダンスをＺ２、抵抗Ｒ１のインピーダンスをＺ３および抵抗Ｒ２のインピーダンスをＺ４とすると、交流ブリッジが平衡状態となる条件は、
Ｚ１・Ｚ４＝Ｚ２・Ｚ３
となる。
【００２３】
図３に示すようにブリッジ回路手段１４の出力は、受信コイル２ａと２ｂの接続点と、抵抗Ｒ１とＲ２の接続点との両接続点間に現れる信号であることから、いま受信コイル２ａの両端の電圧をＶ１、インピーダンスＺ１に流れる電流をｉ１、受信コイル２ｂの両端の電圧をＶ２、インピーダンスＺ２に流れる電流をｉ２とすると、前記両接続点間に現れる信号の電圧Ｖdef は次のようになる（但し抵抗Ｒ１のインピーダンスＺ３と抵抗Ｒ２のインピーダンスＺ４が等しいものとする）。
【００２４】
Ｖ１＝Ｚ１・ｉ１
Ｖ２＝Ｚ２・ｉ２
Ｖdef ＝Ｖ１−Ｖ２
Ｖdef ＝Ｚ１・ｉ１−Ｚ２・ｉ２
この実施形態では、受信コイル２ａとキャパシタＣ３とによるＬＣ共振回路の共振周波数と、受信コイル２ｂとキャパシタＣ４とによるＬＣ共振回路の共振周波数が前記発振回路手段１１が出力する発振周波数に略等しくなるようにしていることから、インピーダンスＺ１とＺ２は略等しくなり前記両接続点間に現れる信号の電圧は電流ｉ１とｉ２との差によってもたらされる電圧信号となる。
前記構成の差動増幅手段１５は、前記ブリッジ回路手段１４の出力する交流電圧の信号を入力して所望の交流電圧信号に増幅して第２の検波回路手段１３ｂへ出力する。
【００２５】
前記構成の第２の検波回路手段１３ｂは、前記差動増幅手段１５の出力する交流電圧信号を入力してダイオードＤ３及びダイオードＤ４により検波整流を行って、抵抗Ｒ１０およびキャパシタＣ１０により構成される積分回路により前記ブリッジ回路手段１４の出力に対応する直流電圧信号に変換する。
前記構成のＡＤ変換手段１７は、ＭＰＵ２０に内蔵されている例えば分解能８ビットの逐次比較変換形のＡＤ変換器を用いて実現している。ＡＤ変換手段１７は、第２の検波回路手段１３ｂの出力するアナログの直流電圧信号を入力して、所定の間隔でサンプリングを行い、ブリッジ回路手段１４の出力に対応するデジタル信号に変換しデジタル信号列を信号検査手段１８へ出力する。
【００２６】
前記構成の信号検査手段１８は、ＡＤ変換手段１７の出力する振幅軸上のデジタル信号列のデータを入力してこれをＲＡＭなどのメモリ手段に一時記憶保持し、前記ＲＡＭ内に一時記憶保持したデジタルデータと、予めメモリ手段２１に記憶保持されている当該金種のデータとの統計値を求め、前記統計値が予めメモリ手段２１に記憶保持されている所定値と比較して所定の特徴を備えているか否かを検査し検査の結果を出力端子１９へ出力する。
前記統計値を求める具体的な方法として相関係数を求めるつぎの式を用いることができる。
【００２７】
【数１】
0003773689.tif 000002
上の１式で、Ｎはサンプリング数、変数Ｘｉはサンプリング値で被検コインを測定して得られる前記デジタル信号列の値、変数Ｙｉは受納可能金種をこの発明の装置を用いて予めサンプリング測定して求めた統計的な値である。また、Ｘａ、Ｙａはそれぞれの平均値である。
ＭＰＵ２０の処理速度を考慮するならば、前記１式において分子の偏差クロス積和の中の受納可能金種のサンプリング値Ｙｉとその平均値Ｙａとの偏差値（Ｙｉ−Ｙａ）、および１式の分母のサンプリング値Ｙｉとその平均値Ｙａの偏差の平方和の平方根について予め計算し、その値をメモリ手段21へ記憶させておくことで、後の処理速度を格段に速めることが可能となる。
【００２８】
ここで、１式により求めた相関係数ｒの絶対値は周知のように０≦｜ｒ｜≦１の範囲をとることから、この相関係数ｒと予め記憶された所定値と比較することで被検コインが所定の特徴を備えているか否かを検査することができ、前記係数ｒが限りなく「１」に近いとき被検コインは受納可能金種のコインに対し真であると判定することができる。しかし、検査の結果前記係数が限りなく零に近いときはそのコインを偽として判定することができる。
ここで、この発明の装置で測定した代表コインの特性について図７および図８を用いて述べる。図７は代表コインの特性を示す図である。図８は代表コインの諸元を示す対比図である。図８で、代表コインの米国５CENT貨とパナマ国の５CENTESIMOS貨は、材質（白銅）、直径、厚さが殆ど近似するコインである。前記コインを目視的に見るならば両コインの違いはそのコインの表面のデザインが異なるのみである。
【００２９】
図７はこの発明による装置を用いて、励磁周波数を９０Ｋ（Ｈｚ）にして励磁コイル１を励磁して、前記コインを測定した結果を示す特性図である。図７で、符号６０（太い線で示す）は米国５CENT貨のもので、符号６１はパナマ国の５CENTESIMOS貨のそれである。同図から前記両コインの特性の違いは最初のピークと最後のピークに現れている様子から判る。これは、コイン表面に発生する渦電流がコイン表面の模様の凹凸に特徴づけられた反磁界を発生し、それにより前記２つの受信コイルのそれぞれに発生する起電力の僅かな差を検出できることに他ならない。従来技術においては前記のような違いを検出することができなかった。
【００３０】
次に図４および図２を用いてコインの真贋性を検査する装置３０の動作について詳述する。
【００３１】
図４で、コインの真贋性を検査する装置３０はコイン投入口３１から投入されたコイン３を自然落下によって、コイン投入口３１の下方に設けたコインレール４へ落下させる。コインレール４へ落下したコイン３は、コイン通路６（図１（ｂ））を通ってコイン投入口３１から遠ざかる方向の下流に転動しながら落下する。コイン３はコイン通路６内を移動する間、外径検知コイル３２、材質及び凹凸検知コイルの励磁コイル１および受信コイル２ａ，２ｂを通過する。装置３０はコイン３が前記各検知コイルを通過する間コイン３の真贋性を検査する。前記検査の結果コイン３が真正であると判定したときは、出力端子１９へ出力される信号に基づき振り分けソレノイド３４を駆動してゲード３３を作動させて、コイン３を図示しない正貨通路へ導く。しかし、検査の結果コイン３が偽貨と判定されたときはゲート３３を作動せずにコイン３を図示しない偽貨通路へ導き、図示しない排出口より排出する。
【００３２】
ここではコイン３が正貨であると仮定すると、正貨通路へ導かれたコイン３は自由落下を続け、やがてコインレール３５へ落下する。コインレール３５へ落下したコイン３は図示しない周知の振り分け手段により金種毎に振り分けられ各金種毎に設けられた排出口Ａ、Ｂ、Ｃ、Ｄの対応する排出口より排出される。
前記で外径検知コイル３２の検査手段は周知の技術を用いることができる。
【００３３】
ここで、図９のフローチャートを用いてコインの真贋性を検査する装置３０の動作を詳述する。図９で、装置は電源が投入されるとステップ１００でＭＰＵ２０内の入出力などの初期設定を行う。ステップ１００を実行後、ステップ１０１の判断処理で検知コイルの信号を用いて装置内にコインが投入されたか否かを判断する処理を実行する。ステップ１０１の判断処理でコインが投入されたと判断すると、プログラムはステップ１０２のＡＤ変換処理へと進む。しかし、ステップ１０１の判断処理でコインが投入されていないと判断するとコインの到来を待つようにして待機処理をループする。
【００３４】
ステップ１０１の判断処理でコインが投入されたと判断すると、ステップ１０２のＡＤ変換処理へ進む。ステップ１０２のＡＤ変換処理はコインが検知コイル内に到来するとその信号を受けて、各検知コイル毎にサンプリングを開始する。サンプリング結果はＭＰＵ２０内のＲＡＭなどのメモリ手段に一時記憶保持してステップ１０３の演算処理へ進む。なお、外径検知コイル３２によるコイン真偽判別の処理は従来と同様なので、その説明を省略している。
【００３５】
ステップ１０３では、コインの真偽判別のためのデータを得るために、前記メモリ手段２１に一時記憶保持されたデジタルデータに対して演算処理を行う。まず、第１の検波回路手段１３ａから出力された直流電圧をサンプリングして得られたデータから最小値を求め、メモリ手段に記憶する。さらに、第２の検波回路手段１３ｂから出力された直流電圧をサンプリングして得られたデータと予めメモリ手段２１に記憶されている受納可能コインに対する統計値から、前記１式の演算を行って相関係数ｒを求め記憶する。
【００３６】
そして、ステップ１０５の真偽判定処理では、ステップ１０３の演算処理により求めた第１の検波回路手段１３ａの出力の最小値が設定された基準範囲内か判断し、基準範囲内ならば受納可能コインの材質と判別し、範囲外ならば受納可能コインの材質とは異なるとする。コイン３の材質による判別を行う。また、ステップ１０３の演算処理により求めた相関係数ｒと予め記憶させた受納可能コインの所定値とを比較し、コイン３の凹凸模様による判別を行う。
材質による判別が受納可能コインの材質と判別され、且つ、凹凸模様による判別で「相関係数ｒ＞所定値」のとき被検コインを真のものであると判定し、ステップ１０６の正貨処理へと進む。しかし、材質による判別が受納可能コインの材質と異なると判別されたとき、若しくは、「相関係数ｒ＜所定値」と判定したときは被検コインを偽と判定し、ステップ１０４の偽貨処理を実行して待機ループへ戻る。
【００３７】
なお、コインの材質による真偽判別処理を先に行い、受納可能コインの材質と異なると判別されたときには、凹凸模様による判別のための相関係数ｒを求めるための演算処理及びこの相関係数ｒによる真偽判別処理も行わないようにしてもよい。
すなわち、第１の検波回路手段１３ａから出力された直流電圧をサンプリングして得られたデータから最小値を求め、この最小値が設定された基準範囲内か判断し、コイン３の材質による判別を行う。前記基準範囲内でなければ、正しいコイン３の材質と異なるとして、コイン３の凹凸模様による判別のための演算処理及び判別を行うことなく、真偽判別の演算を行うことなくステップ１０４に進んで偽コインの処理を行う。又、サンプリングデータの最小値が基準範囲内で、材質による判別が受納可能コインの材質である場合のときのみ、相関係数ｒを求めコイン３の凹凸模様による判別を行うようにする。
【００３８】
ステップ１０５の真偽判定処理で被検コインが真のものであると判定された場合は、ステップ１０６の正貨処理を実行する。ステップ１０６の正貨処理は、前記判定結果に基づき正貨信号、金種信号などを出力する処理を実行し待機ループへ戻る。
なお、上述した各実施形態では、励磁コイル１をコの字形のコアーを用いて示したが、Ｕの字形などこの発明による要旨を逸脱しない範囲において適宜他の形状のものを用いてもよい。
【００３９】
なお、コインの材質、凹凸を検出する検知コイルの励磁コイル１及び受信コイル２ａ、２ｂの配置は、上述した実施形態に限定されるものではなく、識別対象のコインの形状、表面模様等に応じて、その配置を換えてもよいものである。
例えば、図１０に示すように、励磁コイル１の長て方向のコアーの磁極面のセンターを結ぶ線５ｂが受信コイル２ａ，２ｂのセンターを結ぶ線５ａと直交し、前記線５ｂは受信コイル２ａ，２ｂの中間点を通るように励磁コイル１及び受信コイル２ａ，２ｂを配設してもよい。作用及び効果は上述した実施形態と同様なのでその説明を省略する。
【００４０】
又、図１１に示すように、受信コイル２ａ，２ｂのセンターを結ぶ線５ａが、コイン３が転動落下するコインレール４に対して垂直方向にシフトし、対象とするコイン３の中心部位置を通るようにしてもよい。この場合、受信コイル２ａ，２ｂが対象コイン３の中心部に配置されているから、コイン３の中心部の凹凸模様の差異によって検出値が異なることになり、コインの中心に穴があるかないかのコインの真偽識別に適している。
【００４１】
さらには、図１２に示すように、受信コイルの配列を９０度回転させ、受信コイル２ａ，２ｂのセンターを結ぶ線５ａが励磁コイル１のコアーの磁極面のセンターを結ぶ線５ｂと直交し、該励磁コイル１の中心部で交差するように構成し手もよい。この場合も、受信コイル２ａ，２ｂが対象コインの中心部に対応する位置に配置されることから、コインの中央部に凹凸模様の変化があるコイン、ないコインに対して真偽判別する場合にこの第４の実施形態は適している。
【００４２】
以上のように、受信コイル２ａ，２ｂの配設位置（この受信コイルの配設位置に対応して励磁コイルの配設位置）は、真偽を判別しようとする対象コインの表面の凹凸模様の差異に応じて（中心部に穴のあるなしによる凹凸模様に差異がある場合、コインの周辺部に凹凸模様の差異がある場合等）、変えればよいものである。
また、本発明は、電磁界がコインの表面のみ浸透し、中心部まで浸透しないような周波数で励磁コイル１を励磁して電磁界を形成し、コイン表面付近で発生する渦電流による反磁界の影響を測定するものであるから、受信コイル２ａ，２ｂのコインに対向する面は、コイン表面に近接する程望ましい。
【００４３】
そこで、図１３に示すように、通路壁７ａの受信コイル２ａ，２ｂが配設された位置、即ち、図１で受信コイル２ａ，２ｂのセンターを結ぶ線５ａに沿って、受信コイル２ａ，２ｂが配設された位置を透磁率の高い材質２００で形成することによって、受信コイル２ａ，２ｂをコイン表面に実質的に近接させた状態を形成するようにしてもよい。
【００４４】
【発明の効果】
本発明によれば、簡単な一組のコイルでコインの材質とコイン表面の凹凸模様が検出できるので多用なコインに対し小型で高性能なコイン検査装置を安価に提供することができる。
【図面の簡単な説明】
【図１】本発明の一実施形態における検知コイルの構成を示す図で（ａ）は正面図、（ｂ）は断面図である。
【図２】本発明の実施形態における回路の概略ブロック図である。
【図３】同実施形態における回路の具体図である。
【図４】本発明の一実施形態におけるコイン検査装置を示す正面図である。
【図５】本発明の実施形態におけるコイルの構成を詳述する図（ａ）は正面図、図（ｂ）は断面図である。
【図６】本発明の実施形態におけるコイン材質検査のための、励磁コイルから検出される発振電圧波形（図（ａ））、及びこの波形を整流した後の波形（図（ｂ））の説明図である。
【図７】代表コインの特性を示す特性図である。
【図８】本発明の実施形態における代表コインの諸元を示す対比図である。
【図９】本発明の実施形態における動作のフローチャート図である。
【図１０】本発明の検知コイルの別の形態の構成を示す図で（ａ）は正面図、（ｂ）は断面図である。
【図１１】本発明の検知コイルのさらに別の形態の構成を示す図で（ａ）は正面図、（ｂ）は断面図である。
【図１２】本発明の検知コイルのさらに別の形態の構成を示す図で（ａ）は正面図、（ｂ）は断面図である。
【図１３】本発明の実施形態において受信コイルを配置したコイン通路壁の部分を透磁率の高い材料で構成した例を示す説明図である。
【符号の説明】
１  励磁コイル
２ａ，２ｂ  受信コイル
３  コイン
４  コインレール
６  コイン通路
７ａ，７ｂ  コイン通路の通路壁
【図１】
0003773689.tif 000003
【図２】
0003773689.tif 000004
【図３】
0003773689.tif 000005
【図４】
0003773689.tif 000006
【図５】
0003773689.tif 000007
【図６】
0003773689.tif 000008
【図７】
0003773689.tif 000009
【図８】
0003773689.tif 000010
【図９】
0003773689.tif 000011
【図１０】
0003773689.tif 000012
【図１１】
0003773689.tif 000013
【図１２】
0003773689.tif 000014
【図１３】
0003773689.tif 000015